(57)【要約】【課題】  デジタルオシロスコープにより黙視では読み取り値に個人差がある。トリガー設定値によりLPP信号の検知が不安定になる。【解決手段】  DVD-R／-RWディスクにおけるランドプリピット（LPP）のAR（アパーチャレシオ）測定方法において、周期的に繰り返されるウォブル信号に同期して、ウォブル信号ごとのピーク値を連続的にサンプリングし、サンプリングされたデータに含まれているLPP信号のＰmin及びＰmaxを求め、そのＰmin／ＰmaxからLPPのARを計測することを特徴とするDVD-R／-RWディスクのLPPのAR測定方法。【選択図】  図１
2006012239.tif 000002
【特許請求の範囲】
【請求項１】
DVD-R／-RWディスクにおけるランドプリピット（LPP）のAR（アパーチャレシオ）測定方法において、周期的に繰り返されるウォブル信号に同期して、ウォブル信号ごとのピーク値を連続的にサンプリングし、サンプリングされたデータに含まれているLPP信号の最小値Ｐmin及び最大値Ｐmaxを求め、そのＰmin／ＰmaxからLPPのARを計測することを特徴とするDVD-R／-RWディスクのLPPのAR測定方法。
【請求項２】
請求項１記載のDVD-R／-RWディスクのLPPのAR測定方法において、サンプリングされたデータの連続した１６ウォブルを１グループとし、夫々のグループにおけるLPPが重畳されている所定番目のウォブル信号のデータと、LPPが重畳されていない所定番目のウォブル信号とに基づいて閾値を設定し、その閾値を基準としてLPPが重畳されたり重畳されなかったりする所定番目のウォブル信号のサンプリングデータをLPP信号とウォブル信号とに分け、そのLPP信号に基づいてそのＰmin及びＰmaxを求め、そのＰmin／ＰmaxからLPPのARを計測することを特徴とするDVD-R／-RWディスクのLPPのAR測定方法。
【請求項３】
請求項１記載のDVD-R／-RWディスクのLPPのAR測定方法において、サンプリングされたデータの連続した１６ウォブルを１グループとし、夫々のグループにおけるLPPが重畳されたり重畳されなかったりする所定番目のウォブル信号のサンプリングデータから閾値を設定し、その閾値により前記サンプリングデータをLPP信号とウォブル信号とに分け、そのLPP信号に基づいてそのＰmin及びＰmaxを求め、そのＰmin／ＰmaxからLPPのARを計測することを特徴とするDVD-R／-RWディスクのLPPのAR測定方法。
【請求項４】
請求項１ないし請求項３のいずれかに記載のDVD-R／-RWディスクのLPPのAR測定方法において、ウォブル信号ごとのピーク値の連続的サンプリングを、ウォブル信号に同期するクロック信号に基づいて行うことを特徴とするDVD-R／-RWディスクのLPPのAR測定方法。
【請求項５】
請求項１ないし請求項４のいずれかに記載のDVD-R／-RWディスクのLPPのAR測定方法において、サンプリングされたデータに含まれているLPP信号及びウォブル信号の標準偏差からLPP信号の最小値Ｐmin及び最大値Ｐmaxを求め、そのＰmin／ＰmaxからLPPのARを計測することを特徴とするDVD-R／-RWディスクのLPPのAR測定方法。
【請求項６】
DVD-R／-RWディスクの、周期的に繰り返されるウォブル信号に同期したタイミング信号を生成するタイミング信号生成器と、ウォブル信号ごとのピーク値をホールドして連続的にサンプリングするピークホールド回路と、サンプリングされたデータに基づいてデジタル演算処理するCPUを備え、CPUはサンプリングされた前記データに基づいてLPP信号のＰminとＰmaxとを求める機能と、そのＰmin／ＰmaxからLPP信号のARを求める機能を備えたことを特徴とするDVD-R／-RWディスクのLPPのAR計測器。
【請求項７】
請求項６記載のDVD-R／-RWディスクのLPPのAR計測器において、CPUが、サンプリングされたデータ中の連続した１６ウォブルを１グループとし、夫々のグループにおけるLPPが重畳されている所定番目のウォブル信号のデータと、LPPが重畳されていない所定番目のウォブル信号とに基づいて閾値を求める機能と、その閾値を基準としてLPPが重畳されたり重畳されなかったりする所定番目のウォブル信号のサンプリングデータをLPP信号とウォブル信号とに分け、そのLPP信号に基づいてそのＰmin及びＰmaxを求め、そのＰmin／ＰmaxからLPPのARを計測する機能を備えたことを特徴とするDVD-R／-RWディスクのLPPのAR計測器。
【請求項８】
請求項６記載のDVD-R／-RWディスクのLPPのAR計測器において、CPUが、サンプリングされたデータ中の連続した１６ウォブルを１グループとし、夫々のグループにおけるLPPが重畳されたり重畳されなかったりする所定番目のウォブル信号のサンプリングデータに基づいて閾値を設定する機能と、その閾値により前記サンプリングデータをLPP信号とウォブル信号とに分け、そのLPP信号に基づいてそのＰmin及びＰmaxを求め、そのＰmin／ＰmaxからLPPのARを求める機能を備えたことを特徴とするDVD-R／-RWディスクのLPPのAR計測器。
【請求項９】
請求項６ないし請求項８のいずれかに記載のDVD-R／-RWディスクのLPPのAR計測器において、タイミング信号生成器がクロック信号を生成するクロック信号生成器であることを特徴とするDVD-R／-RWディスクのLPPのAR計測器。
【請求項１０】
請求項６ないし請求項９のいずれかに記載のDVD-R／-RWディスクのLPPのAR計測器において、サンプリングしたデータ及びCPUで処理後のデータを記憶するメモリーを備えたことを特徴とするDVD-R／-RWディスクのLPPのAR計測器。
【請求項１１】
請求項６ないし請求項１０のいずれかに記載のDVD-R／-RWディスクのLPPのAR計測器において、サンプリングされたデータ、演算処理されたAR等をデジタル的に又はアナログ的に又はその両方で表示可能な表示機能を備えたことを特徴とするDVD-R／-RWディスクのLPPのAR計測器。
【請求項１２】
請求項６ないし請求項１１のいずれかに記載のDVD-R／-RWディスクのLPPのAR計測器において、サンプリングされたデータ、演算処理されたAR等をデジタル的に又はアナログ的に又はその両方で出力する出力機能を備えたことを特徴とするDVD-R／-RWディスクのLPPのAR計測器。
【請求項１３】
請求項６ないし請求項１２のいずれかに記載のDVD-R／-RWディスクのLPPのAR計測器において、処理部が、サンプリングされたデータに含まれているLPP信号及びウォブル信号の標準偏差からLPP信号の最小値Ｐmin及び最大値Ｐmaxを求め、そのＰmin／ＰmaxからLPPのARを計測する機能を備えたことを特徴とするDVD-R／-RWディスクのLPPのAR計測器。
【発明の詳細な説明】
【技術分野】
【０００１】
本発明はDVD-R、DVD-RWディスクのランドプリピット（LPP）のアパーチャレシオ（AR）の測定方法と、その計測器に関するものである。
【背景技術】
【０００２】
DVD（Digital Video Disc又はDigital Versatile Disc）の書き込みは物理フォーマット、論理フォーマット、アプリケーションフォーマットの３層のフォーマットの組み合わせにより行われる。物理フォーマットにはDVD-R、DVD／-RW、DVD+R、DVD／+RW、DVD／-RAM等（以下これらを単に「DVD」と記す）の種類がある。このうちDVD-R、DVD+Rは追記型、DVD／-RW、DVD／+RW、DVD／-RAMは書き換え型である。記録型DVDにおける物理フォーマットには大別して、ウォブルグルーブ方式のDVD／-RW、DVD／-R、DVD／+RW、DVD／+Rと、ウォブル・ランドグルーブ方式のDVD／-RAMになる。
【０００３】
ディスクはランド（凸条）、グルーブ（溝）、ピット（記録点）、ウォブル（蛇行）、ランドプリピット（LPP）等で構成されている。ウォブルはランドグルーブ内の円周方向の位置決め用目盛りのようなものである。LPPはランドの位置を示すアドレス、記録タイミングを担うものであり、ランドの所定位置にランドが途切れるように形成されている。ウォブルグルーブ方式では、グルーブにつけられたウォブルによって位置決めを行う。DVD-R／-RWの位置決めでは、ウォブルに加えてLPPも用い、LPPを検出してランドの位置を確認しながら行われる。
【０００４】
LPPの検出は、回転駆動されるDVDへ光ビームを照射し、DVDからの反射光を検出して行われる。この場合、LPPの位置では反射光量が減少するため、検出信号（LPP信号）は図１１のように急峻に減少する。図１１ではLPP信号を１０秒間重ね書きした波形であるため多数の掃引線が重なっている。LPP信号は図１（ｃ）のように、ウォブル信号Ｗ1、Ｗ2、Ｗ3に、LPP１、LPP２、LPP３が重畳されているため、ウォブル信号のレベルはLPP信号を含んだレベルとなる。検知されたLPP信号は０／１に２値化されてその有無が確認される。正確に２値化するためには２値化範囲を広くする必要があり、そのためには回転するDVDから繰り返し検知されたLPP信号の最小値（Ｐmin）と最大値（Ｐmax）の比（アパーチャレシオ：AR）＝Ｐmin／Ｐmaxが大きいことが必要である。このため、DVD-R／-RWの規格ではAR＞10％とされている。
【０００５】
現在のAR測定は、８個のウォブルを１フレームとし、２個のフレームで１グル−プとし、１グル−プ中の１番目のウォブル信号Ｗ１に重畳されているLPP１信号にトリガーを掛けてLPP１信号を特定し、そのLPP１から２周期分後の位置の波形を１０秒間蓄積し、その波形をデジタルオシロスコープの画面Ｄに複数枚重ねて表示し、それを目視している。
【発明の開示】
【発明が解決しようとする課題】
【０００６】
データ書き込み後のDVDのウォブル信号及びLPP信号は、隣接トラックに書き込まれたデータの漏洩、DVDへ照射した光ビームの情報読み取りスポットのトラッキング誤差、ノイズ等々の影響で変動することがある。その変動に伴って、ウォブル信号に重畳されているLPP信号のレベルも変動するため、目視による前記測定方法は次のような課題があった。
（１）トリガーレベルによっては、必ずしも1番目のLPP信号をトリガーできるとは限らないため、１０秒間蓄積するLPP信号は３番目の位置のLPP信号ではあるが、ウォブル信号は必ずしも３番目の位置のものとは限らず、３〜５番目の可能性もある。また、１番目でトリガーが掛からなかったときの３番目がLPPであった場合は、抜け落ちてしまうので、１番目と３番目が同じような傾向でレベルが小さくなると仮定すると、小さいレベルのものは見えなくなってしまう恐れがある。
（２）デジタルオシロスコープの種類（メーカ）によりサンプリング更新周期が異なり、波形が異なるため、デジタルオシロスコープが他のものに変わった場合、デジタルオシロスコープ間の相関がとれなくなる。
（３）デジタルオシロスコープの表示する線の濃さ（太さ）の設定により、波形の見え方が全く違ってくるため、分解能が低く、高精度の計測が難しい。
（４）目視でARを判断するため、個人差により読み取り値が異なる。また、同じ人が、同じデータ（位置）を測定しても毎回値が異なることがある。精度の高い測定をするためには、熟練者が必要である。
（５）トリガーレベルを低くするとLPP信号が重畳されていないウォブル信号をLPP信号として検知してしまい、高くするとレベルの低いLPP信号が検知されなくなり、検出精度に難点がある。
【課題を解決するための手段】
【０００７】
本発明はウォブルに重畳されているLPP信号を自動的に計測してLPPのARを求める計測方法であり、デジタルオシロスコープを使用して目視する測定方法の前記課題と、トリガーを掛ける場合の前記課題を解消したものである。なお、DVDディスクの規格では、偶数又は奇数フレームのどちらか１番目の位置のウォブルにはLPPが必ず重畳され、２番目、３番目のウォブルにはLPPが重畳されている場合と、いない場合とがある。本発明は、この規格下に開発されたものである。
【０００８】
本発明のDVD-R／-RWディスクのLPPのAR測定方法は、DVD-R／-RWディスクにおけるLPPのAR測定方法において、周期的に繰り返されるウォブル信号に同期して、ウォブル信号ごとのピーク値を連続してサンプリングし、サンプリングデータに含まれているLPP信号の最小値Ｐmin及び最大値Ｐmaxを求め、そのＰmin／ＰmaxからLPPのARを計測する方法である。この場合、ウォブル信号ごとのピーク値の連続サンプリングは、ウォブル信号に同期するクロック信号に基づいて行うことができる。
【０００９】
前記AR測定では、サンプリングされたデータの連続した１６ウォブルを１グル−プ（８ウォブル１フレーム×２フレーム＝１６／グル−プ）とし、夫々のグル−プにおけるLPPが重畳されている所定番目のウォブル信号のデータと、LPPが重畳されていない所定番目のウォブル信号とに基づいて閾値を設定し、その閾値を基準としてLPPが重畳されたり重畳されなかったりする所定番目のウォブル信号のサンプリングデータをLPP信号とウォブル信号とに分け、そのLPP信号に基づいてその最小値Ｐmin及び最大値Ｐmaxを求め、そのＰmin／ＰmaxからLPPのARを計測することができる。また、夫々のグループにおけるLPPが重畳されたり重畳されなかったりする所定番目のウォブル信号のサンプリングデータから閾値を設定し、その閾値により前記サンプリングデータをLPP信号とウォブル信号とに分け、そのLPP信号に基づいてそのＰmin及びＰmaxを求め、そのＰmin／ＰmaxからLPPのARを計測することもできる。
【００１０】
本発明のDVD-R／-RWディスクのLPPのAR測定方法では、前記DVD-R／-RWディスクのLPPのAR測定方法において、サンプリングされたデータに含まれているLPP信号及びウォブル信号の標準偏差からLPP信号の最小値Ｐmin及び最大値Ｐmaxを求め、そのＰmin／ＰmaxからLPPのARを計測することもできる。
【００１１】
本発明のDVD-R／-RWディスクのLPPのAR計測器は、DVD-R／-RWディスクの、周期的に繰り返されるウォブル信号に同期したタイミング信号を生成するタイミング信号生成器と、ウォブル信号ごとのピーク値をホールドして連続的にサンプリングするピークホールド回路と、サンプリングされたデータに基づいてデジタル演算処理するCPUを備え、CPUはサンプリングされた前記データに基づいてLPP信号のＰminとＰmaxとを求める機能と、そのＰmin／ＰmaxからLPP信号のARを求める機能を備えたものである。この場合、サンプリングしたデータを連続的にメモリーに記憶し、そのデータをCPUで演算処理してARを求める。メモリーはCPUに内蔵のものでも、CPUとは別に用意されたものでもよい。
【００１２】
前記CPUは、サンプリングされたデータ中の連続した１６ウォブルを１グループとし、夫々のグループにおけるLPPが重畳されている所定番目のウォブル信号のデータと、LPPが重畳されていない所定番目のウォブル信号とに基づいて閾値を求める機能と、その閾値を基準としてLPPが重畳されたり重畳されなかったりする所定番目のウォブル信号のサンプリングデータをLPP信号とウォブル信号とに分け、そのLPP信号に基づいてそのＰmin及びＰmaxを求め、そのＰmin／ＰmaxからLPPのARを計測する機能を備えたものである。CPUは、サンプリングされたデータ中の連続した１６ウォブルを１グループとし、夫々のグループにおけるLPPが重畳されたり重畳されなかったりする所定番目のウォブル信号のサンプリングデータに基づいて閾値を設定する機能と、その閾値により前記サンプリングデータをLPP信号とウォブル信号とに分け、そのLPP信号に基づいてそのＰmin及びＰmaxを求め、そのＰmin／ＰmaxからLPPのARを求める機能を備えたものとすることもできる。
【００１３】
前記タイミング信号生成器は、クロック信号を生成するクロック信号生成器とすることもできる。本発明のDVD-R／-RWディスクのLPPのAR計測器は、サンプリングされたデータ、演算処理されたAR等をデジタル的に又はアナログ的に又はその両方で表示可能なディスプレイ等の表示機能や、サンプリングされたデータ、演算処理されたAR等をデジタル的に又はアナログ的に又はその両方で出力する出力機能を備えたものとすることができる。
【００１４】
本発明のDVD-R／-RWディスクのLPPのAR計測器は、処理部を、サンプリングされたデータに含まれているLPP信号及びウォブル信号の標準偏差からLPP信号の最小値Ｐmin及び最大値Ｐmaxを求め、そのＰmin／ＰmaxからLPPのARを計測する機能を備えたものとすることもできる。
【発明の効果】
【００１５】
本発明のDVD-R／-RWディスクのLPPのAR測定方法は次のような効果がある。
（１）周期的に繰り返されるウォブルに同期して、ウォブル信号ごとのピーク値を連続的にサンプリングし、サンプリングされたデータに含まれるLPP信号のＰminとＰmaxを求め、それに基づいて、Ｐmin／ＰmaxからLPPのARをCPUで自動的に計測するので、LPP信号が重畳されているウォブル信号であれば、１グループ中の何番目のウォブル信号に重畳されているLPP信号であってもAR計測ができる。
（２）デジタルオシロスコープで目視する方法ではないため、ARの迅速、正確な計測が可能となり、測定器や測定者によるバラツキもない。
（３）ウォブル信号ごとのピーク値を連続してサンプリングし、そのサンプリングデータに含まれるLPP信号のＰminとＰmaxからARを求めるので、所望位置のLPPが重畳されているウォブル信号を、１グループ中の1番目のLPP信号レベルに依存することなく特定することができる。
（４）ウォブルの必要周期分の連続データをメモリーし、そのデータ中のLPP信号の出現確率により統計的にウォブルの位置を求めるので、ウォブルに重畳されているLPPであれば全てサンプリングすることができ、トリガーを掛ける場合のように、ウォブルレベルの変動によって検出精度が変動することがなく、安定した検出が可能となる。
（５）ウォブルの波形全データをサンプリングするのではなく、各ウォブルのピーク値を側定するので、情報量が多過ぎてデータ処理が増大するとか、処理速度が遅くなるといったことがない。
【００１６】
本発明のDVD-R／-RWディスクのLPPのAR計測器は次のような効果がある。
（１）少なくとも、タイミング信号生成器と、ピークホールド回路と、CPUと、CPUとは別の或いはCPUに内蔵されているA/D変換回路とで構成されるため、簡潔な構成で、自動的に確実にLPPを検知することができ、精度の高いAR測定が可能となる。
（２）CPUが、閾値を求める機能と、その閾値を基準としてウォブル信号のサンプリングデータをLPP信号とウォブル信号とに分け、そのLPP信号に基づいてそのＰmin及びＰmaxを求め、そのＰmin／ＰmaxからLPPのARを計測する機能を備えているため、ARが自動的に、迅速、正確に求められる。
（３）メモリー機能を備えているため、メモリーした計測データを後で活用することができる。
（４）タイミング信号生成器が、クロック信号を生成するクロック信号生成器の場合は、手軽な構成で、ウォブル周期に同期させてウォブルのピークをホールドすることができる。
（５）サンプリングされたデータ、演算処理されたAR等をデジタル的に又はアナログ的に又はその両方で表示可能なディスプレイ等の表示機能を備えているため、目視での確認もでき、例えば、分布グラフ出力機能によりヒストグラムで確認することもできる。
（６）サンプリングされたデータ、演算処理されたAR等を出力可能なプリンタや、外部に送信可能な出力機能を備えているため、データ、AR等をプリントアウトすることも、インターネット等の公衆回線を使用して外部に送り出すこともできる。
【発明を実施するための最良の形態】
【００１７】
（AR測定方法の実施例１）
本発明のDVD-R／-RWディスクのLPPのAR計測方法の実施例を以下に説明する。この実施例は、DVDのLPP１、２及び３はLPPが連続した偶数フレーム又は奇数フレームに配置されている場合は８ウォブル×２の１６ウォブルに毎に出現すること、LPPの配置が偶数フレームと奇数フレームの切り替わり地点ではLPPの出現が８ウォブル（１フレーム）ずれること、１グループ中のウォブルのうち、１番目のウォブルには必ずLPP信号が重畳されているが、２番目、３番目のウォブルにはLPP信号が重畳されている場合と重畳されていない場合とがあること、といった出現規則の存在を前提とするものである。
【００１８】
この実施例では１６ウォブル（２フレーム）を１グループとし、それを連続して２０００グループをサンプリングし、１グループのうち、LPP信号（図１のLPP１）が必ず重畳されているウォブルを１番目とし、３番目のウォブルに重畳されているLPP信号（図１のLPP３）のピークをサンプリングし、そのLPP信号のARを計測するようにした。連続して２０００グループをサンプリングするのは、ディスクの外周位置でもディスクの一周以上の連続データとなるようにするためである。本件出願の図１〜５は、図６とレベルの正負（上下）が逆に表示されているが、これは、図１〜５は計測時のデータ処理の関係上、そのようにしてあるためである。
【００１９】
この実施例では、図１（ｃ）のように周期的に繰り返されるウォブル信号Ｗ1、Ｗ2、Ｗ3・・・に同期して、ウォブル信号ごとのピーク値（１ウォブルの０〜１８０°間のピーク値）をホールドし、必要周期の全てのデータをメモリーに連続的に記憶させてサンプリングする。ウォブル信号への同期には図１（ａ）のタイミング信号を使用して、図１（ｃ）の入力信号のウォブル信号Ｗ1、Ｗ2、Ｗ3の夫々のピーク値を連続的にホールドする。図１（ａ）のタイミング信号は４分周することによって図１（ｂ）のクロック信号となることから、図１（ｃ）のウォブル信号の周期と同期していることがわかる。
【００２０】
図１は全てピークホールドのアナログ部分のタイミングチャートであり、図１（ｅ）のピークホールド２信号を図２のA/D変換器でデジタル信号に変換して図２の処理部５に渡す。図１（ａ）の信号はウォブル周期に同期した４逓倍のクロック信号であり、その１番目の立ち上がりエッジで図１（ｄ）のピークホールド１信号の充電が開始され、３番目の立ち上がりエッジで図１（ｄ）のピークホールド１信号をラッチして、図１（ｅ）に伝えられ、３番目の立下りエッジで図１（ｄ）がクリアされ、次のウォブル周期の１番目の立ち上がりエッジで図１（ｅ）をA/D変換する。A/D変換するタイミングが、丁度、ウォブル周期で１つ送られている。但し、図１はあくまでも分り易く画いたイメージ図であるため、実際のタイミングは多少異なっている。図２の処理部５に送られるデジタル信号は処理部５のメモリー（RAM）に記憶させ、処理部５の演算処理回路により、記憶させたデータから１グループ中の１番目のウォブルＷ1を特定し、それを基準として３番目のウォブルＷ3を特定し、３番目のウォブルＷ3に重畳されているLPP信号３（図１ｃ）のＰmin及びＰmaxを求め、そのＰmin／ＰmaxからLPPのARを計測する。
【００２１】
しかし、実際は、測定開始時のDVDディスクの読み込み位置及びLPP出現規則が分らないため、サンプリングした連続データから直ちに１グループ内の１番目のウォブルＷ1を特定することはできない。従って、３番目のウォブルＷ3を特定することも出来ない。しかも、サンプリングした連続データ中の任意の１ブロックだけを観測したのではLPP２、LPP３の有無がわからず、また、ウォブルにノイズ等がのっているため、１６個のウォブルのレベルの最大位置がLPP１とは限らない。そこで、この実施例では、サンプリングした１６ウォブル（１グループ）×２０００グループのピークホールドしたデータをA／D変換して連続してメモリーに記憶させ、その後にCPUでデータを１６個ずつ整列させてLPP１を探す。そのための処理は次のようする。
【００２２】
連続的に記憶されたデータを図６のように多数のブロックＢ1、Ｂ2・・・に分割する。この場合、各ブロックＢ1、Ｂ2・・・の各グループＧ1、Ｇ2・・・の１６ウォブルを横一列に並べ、それを縦に多数行並べて１ブロックＢ1、Ｂ2・・・とする。DVDディスクには、LPPレベル＞ウォブルレベル、LPPの出現頻度LPP１＞LPP３＞LPP２という関係があるため、分割された各ブロックＢ1、Ｂ2・・・の列ごとにウォブルの和を求めて、和が最大である列のウォブルを各ブロックＢ1、Ｂ2・・・における１番目のウォブルＷ１と特定する。ただし、この特定は、LPPが連続した偶数フレーム、奇数フレームの夫々に配置されて１６ウォブル（８ウォブル×２）に毎に出現する場合は成立するが、偶数フレームと奇数フレームの切り替わり位置では、前記のようにLPPの出現が８ウォブル（１フレーム）ずれるため成立しない。そこで、この実施例では、LPP出現の切り替わり位置を検索し、切り替わり位置のデータは破棄して、LPPの出現が連続するデータのみから夫々のブロックのLPP１を特定するようにした。
【００２３】
切り替わり位置を検索するには、連続するブロックＢ1、Ｂ2・・・のうち、前後のブロックのLPP１の場所を比較する。例えば、連続するブロックの夫々の和の最大値が３、３、３、３、１１、１１、１１、１１・・・であったとすると、左から４番目と５番目で変化していることがわかる。これより、４番目と５番目のどちらかのブロックに切り替わり位置があることを知ることができる。この切り替わり位置のデータを破棄する。
【００２４】
前記のようにして特定された１番目のウォブルＷ1を基準として３番目のウォブルＷ3を特定する。しかし、３番目のウォブルＷ3のピーク値は図１（ｃ）のように、ウォブル信号にLPP３信号が重畳された値であるため、そのままではLPP３だけのピーク値は不明である。そこで、この実施例では、図７のように、特定された３番目のウォブルＷ3のデータの集団を、ウォブルのデータ集団と、LPPのデータ集団とに分ける。そのため、閾値を設定して、それより大きなレベルをLPP、小さなレベルをウォブルとする。閾値の設定方法には次のような方法があるが、そのいずれでもよい。
１．人がレベルの分布状況を観察して設定する方法。
２．LPPが必ず重畳されているウォブルと、ウォブルが必ず重畳されていないウォブルのデータより求めて設定する方法。
３．ウォブル３の分布状況により設定する方法等。
【００２５】
前記２の閾値設定方法では、前記のように連続メモリーしたデータを、図８のように、LPPが必ず重畳されているウォブルＷ1のデータ集団と、ウォブルが必ず重畳されていないウォブルＷ5のデータ集団に分け、ウォブル１のデータ集団からLPPの最小値レベル（図９のLPPmin）を抜き出し、ウォブル５のデータ集団からウォブルの最大値レベル（図９のＷmax）を抜き出し、両レベルの間に閾値を設定する。この場合、その閾値より下のレベルはウォブル、上のレベルはLPPとする。
【００２６】
前記３の閾値設定方法では、測定対象のLPPが重畳されているウォブル（この実施例ではウォブル３）のデータを、図１０のように昇順にソートしてから、１番目のデータと２番目のデータの差、２番目のデータと３番目のデータの差、といったように、隣り合う番目のデータの差（レベル差）を順番に求め、レベル差が最大のところの中点レベルを閾値とし、その閾値より下のレベルはウォブル、上のレベルはLPPとする。ちなみに、レベル差が最大のところがウォブルとLPPの境目であり、デジタルオシロスコープで重ね書き表示した窓の位置に相当する。
【００２７】
１番目のLPP１信号と、LPP信号が重畳されていない５番目のウォブル信号Ｗ5の検知波形を同一画面に同時に表示すると図３のようになり、３番目のLPP３信号と３番目のウォブルＷ3の検知波形のみを表示すると図４のようになる。図３は１番目のウォブルＷ1のみではウォブルのレベルが分からないため、ウォブルＷ5を同時に表示した。図４の１０００が前記方法で求めた閾値である。
【００２８】
前記のように特定された３番目のウォブルＷ3は、前記いずれかの方法で設定された閾値に基づいて、自動的にウォブルデータの集団と、それに重畳しているLPPデータの集団とに区分される。ウォブルデータの集団からウォブルの最大値（Ｗmax）を、LPPデータの集団からLPPの最小値（LPPmin）及び最大値（LPPmax）を抜き出し、次式によりARを求める。
AR（％）＝（LPPmin−LPPmax）／（LPPmax−Ｗmax）×100
【００２９】
前記実施例では３番目のウォブル信号に重畳しているLPP信号のARを求めるようにしてあるが、本発明では１番目、２番目のいずれのウォブル信号に重畳しているLPP信号からもARを求めることができる。図３ではウォブル信号のレベル検知に５番目のウォブルＷ5を使用したが、LPP信号が重畳していないウォブル信号であれば、他の番目のウォブル信号を使用することもできる。
【００３０】
前記実施例ではウォブルレベルも、LPPレベルも、ピーク値から求めているが、ウォブルレベルも、LPPレベルもピーク値の標準偏差から求め、それに基づいてARを求めることもできる。この場合、ウォブルレベルＷmax、LPPレベルLPPmin、LPPmaxは次式より求められる。
Ｗmax＝Ｗaverage＋k×Ｗsigma
Ｗaverage：ウォブル平均値、k：係数、Ｗsigma：ウォブル標準偏差
LPPmin＝LPPaverage−k×LPPsigma
LPPaverage：LPP平均値、k：係数、LPPsigma：LPP標準偏差
LPPmax＝LPPaverage−k×LPPsigma
LPPaverage：LPP平均値、k：係数、LPPsigma：LPP標準偏差
平均値及び標準偏差の求め方は一般的な式による。係数kは正規分布した場合の存在確率に基づき設定することとする。
【００３１】
（AR計測器の実施例１）
本発明のDVD-R／-RWディスクのLPPのAR計測器の実施例の一つを図２に示す。図２のAR計測器はアンプ１、タイミング信号生成器２、ピークホールド回路３、A/D変換器４、処理回路５を備えている。
【００３２】
アンプ１はゲインアンプ、フィルタ等から構成されており、入力信号を、それ以降の回路で処理できるように増幅したり信号反転したりして、図１（ｃ）の波形の出力を出力する。
【００３３】
タイミング信号生成器２はウォブル信号の周期に同期させるためのタイミング信号を生成するものであり、それには、フェーズドロックループ発振器（PLL）が適する。波形成形器とモノマルチバイブレータとの組合せたものとすることもできる。
【００３４】
ピークホールド回路３は、夫々のウォブル信号のピークをホールドするためのものであり、既存のピークホールド回路を使用することができる。ピークレベル測定方法としては、タイミング信号生成器２から生成される信号を用いて、アナログピークホールドし、それをA/D変換する方法、又は、高速A/Dサンプリングして、デジタル値でピークを抽出する方法などがある。
【００３５】
処理回路５はウォブル信号のピークレベルのアナログ信号（図１ｅ）をA/D変換したデジタル信号を連続的に取り込み、LPP出現規制に基づいて、測定対象位置のウォブルレベルと、LPPレベルを特定し、演算処理してARを求め、結果を出力するものであり、例えば、メモリー内蔵のCPUが適する。メモリーはCPUと別体でもよい。
【図面の簡単な説明】
【００３６】
【図１】本発明のDVD-R／-RWディスクのLPPのAR計測方法の一例を示す波形図。
【図２】本発明のDVD-R／-RWディスクのLPPのAR計測器の一例を示すブロック図。
【図３】本発明のDVD-R／-RWディスクのLPPのAR計測方法により計測した１番目のLPP信号と、１番目及び５番目のウォブル信号の一例を示す波形分布図。
【図４】本発明のDVD-R／-RWディスクのLPPのAR計測方法により計測した３番目のLPP信号と、３番目のウォブル信号の計測の一例を示す波形分布図。
【図５】デジタルオシロスコープで目視する従来のAR測定方法の波形イメージ図。
【図６】閾値の求め方の説明図。
【図７】ウォブル信号３に重畳されているLPPを判別するために、ウォブル信号３をウォブルのデータ集団とLPPのデータ集団とに分ける場合の説明図。
【図８】必ずLPP信号が重畳されているウォブルと、必ずLPP信号が重畳されていないウォブルとから、閾値を求める場合の説明図。
【図９】図８の方法で閾値を求める場合の説明。
【図１０】ウォブル３の分布状況から閾値を求める場合の説明図。
【図１１】LPP信号のAR波形図。
【符号の説明】
【００３７】
１  LPP
２  タイミング信号生成器
３  ピークホールド回路
４  A/D変換器
５  処理器
【図１】
2006012239.tif 000003
【図２】
2006012239.tif 000004
【図３】
2006012239.tif 000005
【図４】
2006012239.tif 000006
【図５】
2006012239.tif 000007
【図６】
2006012239.tif 000008
【図７】
2006012239.tif 000009
【図８】
2006012239.tif 000010
【図９】
2006012239.tif 000011
【図１０】
2006012239.tif 000012
【図１１】
2006012239.tif 000013